(57)【要約】【課題】居室親機等の既設の機器を交換することなく、簡易に然も安価に増設親機の設置が可能な増設用インターホン装置を提供する。【解決手段】玄関子機１と居室親機２とを接続する伝送線５に無線ユニット３を接続し、無線ユニット３を介して玄関子機１と増設親機４の間で無線通信により呼び出し及び応答通話を可能とした。無線ユニット３は伝送線５に個々に接続される呼出検出回路１１、受話回路１３、送話回路１５を有し、これらの合成入力インピーダンスを伝送線５のインピーダンスの１０倍とした。【選択図】　図２
2004147215.tif 000002
【特許請求の範囲】
【請求項１】
室内に設置される少なくとも１台の居室親機と玄関に設置される１台の玄関子機とが伝送線により有線接続されて成るインターホン装置に接続して使用する増設用インターホン装置であって、
前記伝送線に接続する無線ユニットと、前記無線ユニットと無線通信可能な少なくとも１台の増設親機とを備え、前記無線ユニットが前記玄関子機からの呼出信号を前記増設親機に無線送信すると共に増設親機との間で通話信号を送受信し、前記玄関子機からの呼び出し及び応答通話を可能とすることを特徴とする増設用インターホン装置。
【請求項２】
前記無線ユニットは、玄関子機からの呼び出し信号を検出する呼出検出回路と、前記増設親機からの通話信号を玄関子機へ出力する送話回路と、前記玄関子機からの通話信号を入力する受話回路とを備え、各々前記伝送線に接続されて、
前記呼出検出回路の入力インピーダンスと前記送話回路の出力インピーダンスと前記受話回路の入力インピーダンスとを合成したインピーダンスが前記伝送線のインピーダンスより高いことを特徴とする請求項１記載の増設用インターホン装置。
【請求項３】
室内に設置される少なくとも１台の居室親機と玄関に設置される１台の玄関子機とが伝送線により有線接続されて成るインターホン装置に接続して使用する増設用インターホン装置であって、
前記伝送線に接続する無線ユニットと、前記無線ユニットと無線通信可能な少なくとも１台の増設親機とを備え、前記無線ユニットが前記玄関子機からの呼出信号及び映像信号を前記増設親機に無線送信すると共に増設親機との間で通話信号を送受信し、前記玄関子機からの呼び出し及び応答通話を可能とすることを特徴とする増設用インターホン装置。
【請求項４】
前記無線ユニットは、玄関子機からの呼び出し信号を検出する呼出検出回路と、前記増設親機からの通話信号を玄関子機へ出力する送話回路と、前記玄関子機からの通話信号及び映像信号を入力する受信回路とを備え、各々前記伝送線に接続されて、
前記呼出検出回路の入力インピーダンスと前記送話回路の出力インピーダンスと前記受信回路の入力インピーダンスとを合成したインピーダンスが前記伝送線のインピーダンスより高いことを特徴とする請求項３記載の増設用インターホン装置。
【請求項５】
前記合成したインピーダンスは、前記伝送線のインピーダンスの５倍以上であることを特徴とする請求項２又は４記載の増設用インターホン装置。
【請求項６】
少なくとも１台の居室親機と、前記居室親機に伝送線により有線接続される１台の玄関子機と、請求項１乃至５の何れかに記載の増設用インターホン装置とを備えて成ることを特徴とするインターホン装置。
【発明の詳細な説明】
【０００１】
【発明の属する技術分野】
本発明は、一台の玄関子機に対して複数の居室親機を有するインターホン装置に関し、詳しくは居室親機を増設する際に新たに設置する増設用インターホン装置及びその増設用インターホン装置を組み付けて居室親機を増設したインターホン装置に関する。
【０００２】
【従来の技術】
玄関等に設置される玄関子機と住居内に設置される居室親機とが有線で接続された図３の構成図に示すようなインターホン装置が普及している。図３において、３１は玄関子機、３２は居室親機、３３は両者を接続して信号等を伝送する伝送線であり、このようなインターホン装置が設置されている住居において、居住者が代わったり生活環境の変化等により、居室親機３２を設置した部屋以外でも親機を必要とする場合、従来は設置されている居室親機３２を、有線式又は無線式の増設親機を接続するためのインターフェイスを備えた専用の居室親機に付け替えて、増設した親機と付け替えた居室親機とを有線或いは無線で接続し、希望する居室にても玄関子機３１との呼び出し及び応答を可能としていた（例えば、特許文献１参照）。
【０００３】
【特許文献１】
特開平１１−１６８５６８号公報
【０００４】
【発明が解決しようとする課題】
しかし、上記従来の増設形態の場合、増設親機を接続可能なインターフェイスを備えた専用の居室親機は高価であったし、既設の居室親機は不要となるため、資源の有効利用の面からも好ましいものではなかった。また、増設親機が有線接続されるものにあっては、新たな接続線を敷設しなければならず、増設工事が厄介であったし、部屋の美観の点からも問題があった。
そこで、本発明は上記問題点に鑑み、居室親機等の既設の機器を交換することなく、簡易に然も安価に増設親機の設置が可能な増設用インターホン装置及びその増設用インターホン装置を備えたインターホン装置を提供することを目的とする。
【０００５】
【課題を解決するための手段】
上記課題を解決するため、請求項１の発明に係る増設用インターホン装置は、室内に設置される少なくとも１台の居室親機と玄関に設置される１台の玄関子機が伝送線により有線接続されて成るインターホン装置に接続して使用する増設用インターホン装置であって、伝送線に接続する無線ユニットと、無線ユニットと無線通信可能な少なくとも１台の増設親機とを備え、無線ユニットが玄関子機からの呼出信号を増設親機に無線送信すると共に増設親機との間で通話信号を送受信し、玄関子機からの呼び出し及び応答通話を可能とすることを特徴とする。
この構成により、有線接続された玄関子機と居室親機から成るインターホン装置の伝送線に無線ユニットを介在させるだけで増設親機を設置できるので、既設の有線接続された玄関子機と居室親機とから成るインターホン装置の機器を変更することなく親機を増設することができる。従って、増設する際の廃棄物も少なくなるし、増設親機を安価に設置できる。
【０００６】
請求項２の発明は、請求項１の発明において、無線ユニットは、玄関子機からの呼び出し信号を検出する呼出検出回路と、増設親機からの通話信号を玄関子機へ出力する送話回路と、玄関子機からの通話信号を入力する受話回路とを備え、各々伝送線に接続されて、呼出検出回路の入力インピーダンスと送話回路の出力インピーダンスと受話回路の入力インピーダンスを合成したインピーダンスが伝送線のインピーダンスより高いことを特徴とする。
この構成により、無線ユニットの入力インピーダンスが接続する伝送線のインピーダンスより高いので、無線ユニットを伝送線に介在させても、玄関子機や居室親機に大きな負担が掛かり誤動作するようなことがない。
【０００７】
請求項３の発明に係る増設用インターホン装置は、室内に設置される少なくとも１台の居室親機と玄関に設置される１台の玄関子機とが伝送線により有線接続されて成るインターホン装置に接続して使用する増設用インターホン装置であって、伝送線に接続する無線ユニットと、無線ユニットと無線通信可能な少なくとも１台の増設親機とを備え、無線ユニットが玄関子機からの呼出信号及び映像信号を増設親機に無線送信すると共に増設親機との間で通話信号を送受信し、玄関子機からの呼び出し及び応答通話を可能とすることを特徴とする。
この構成により、有線接続された玄関子機と居室親機から成るインターホン装置の伝送線に無線ユニットを介在させるだけで玄関子機との通話に加え映像信号を受信可能な増設親機を設置できるので、既設の有線接続された玄関子機と居室親機とから成るインターホン装置の機器を変更することなく、親機を増設することができる。従って、増設する際の廃棄物も少なくなるし、増設親機を安価に設置できる。
【０００８】
請求項４の発明は、請求項３の発明において、無線ユニットは、玄関子機からの呼び出し信号を検出する呼出検出回路と、増設親機からの通話信号を玄関子機へ出力する送話回路と、玄関子機からの通話信号及び映像信号を入力する受信回路とを備え、各々伝送線に接続されて、呼出検出回路の入力インピーダンスと送話回路の出力インピーダンスと受信回路の入力インピーダンスとを合成したインピーダンスが伝送線のインピーダンスより高いことを特徴とする。
この構成により、無線ユニットの入力インピーダンスが接続する伝送線のインピーダンスより高いので、無線ユニットを伝送線に介在させても、玄関子機や居室親機に大きな負担が掛かり誤動作するようなことがない。
【０００９】
請求項５の発明は、請求項２又は４の発明において、合成したインピーダンスは、伝送線のインピーダンスの５倍以上であることを特徴とする。
この構成により、無線ユニットのインピーダンスが十分大きいので既存のインターホン装置に負荷が掛かるようなことがない。
【００１０】
請求項６の発明に係るインターホン装置は、少なくとも１台の居室親機と、居室親機に伝送線により有線接続される１台の玄関子機と、請求項１乃至５の何れかに記載の増設用インターホン装置とを備えて成ることを特徴とする。
この構成により、無線の増設親機を有するので居室間の移動設置を容易に実施でき利便性が向上する。それでいて有線接続される玄関子機や居室親機は従来の有線式のインターホン装置をそのまま使用することができ、安価に無線の増設親機を加えたシステム構成を図ることができる。
【００１１】
【発明の実施の形態】
以下、本発明を具体化した実施の形態を、図面に基づいて詳細に説明する。図１は本発明に係るインターホン装置の第１の実施形態を示す外観図で有り、１は玄関子機、２は居室親機、３は無線ユニット、４は増設親機である。玄関子機１と居室親機２とは無線ユニット３を介して伝送線５で接続されている。そして、無線ユニット３は増設親機４と無線通信する為の装置であり、無線ユニット３と増設親機４とで増設用インターホン装置を構成している。
尚、６は来訪者を撮像するカメラ、７はカメラ６の撮像した映像を出画するモニタ７であり、居室親機２は玄関子機１の呼出を受けてモニタ７に来訪者の画像を映し出して、呼出し及びその応答通話ができる上記図３に示すような従来形態のインターホン装置である。
【００１２】
以下、本発明の要部である無線ユニット３と増設親機４について図２を基に詳しく説明する。図２は、無線ユニット３と増設親機４を回路ブロックで示したインターホン装置の説明図であり、無線ユニット３は、玄関子機１からの呼出信号を検出する呼出検出回路１１、各回路を制御するユニット側ＣＰＵ１２、玄関子機１からの通話信号を入力する受話回路１３、通話信号を送信信号に変換するユニット側送信回路１４、増設親機４からの通話信号を玄関子機１へ出力する送話回路１５、受信信号を音声信号に変換するユニット側受信回路１６を有し、１７はユニット側混合器、１８はユニット側送受信アンテナである。
【００１３】
そして、呼出検出回路１１と受話回路１３と送話回路１５とは各々並列に配置されて伝送線５に接続されるよう構成され、呼出検出回路１１と受話回路１３と送話回路１５の合成入力インピーダンスは、玄関子機１と居室親機２との間の伝送線５のインピーダンスより高く設定されている。例えば、伝送線５のインピーダンスを７５Ωとすると、無線ユニット３の合成入力インピーダンスは７５０Ωと１０倍に設定されている。
【００１４】
また、増設親機４には、呼出音発生回路２１、各回路を制御する親機側ＣＰＵ２２、受信信号を音声信号に変換する親機側受信回路２３、変換した音声信号を増幅して送受話器２４のレシーバ２４ａに出力するレシーバアンプ２５、送受話器２４からの音声信号を増幅するマイクアンプ２６、マイクアンプ２６の出力信号を送信信号に変換する親機側送信回路２７を有し、２８は親機側混合器、２９は親機側送受信アンテナ、３０はスピーカである。
【００１５】
次に、この図２を基に上記インターホン装置の動作を説明する。まず、訪問者が玄関子機１の呼出ボタン１ａを押すと、居室親機２で呼出音が鳴動すると共に、カメラ６の撮像画像がモニタ７に映し出される。同時に、無線ユニット３の呼出検出回路１１が呼び出しを検出して、ユニット側ＣＰＵ１２の制御のもとユニット側送信回路１４から呼出信号を送信する。すると、増設親機４の親機側受信回路２３が親機側送受信アンテナ２９を介してこれを受信し、親機側ＣＰＵ２２の制御で呼出音発生回路２１を動作させてスピーカ３０から呼出音を鳴動させる。
そして、呼出音の鳴動を受けて、居住者が増設親機４の送受話器２４を取り上げると、親機側ＣＰＵ２２の制御で親機側送信回路２７から通話開始データが親機側送受信アンテナ２９を介して無線ユニット３に送信され、玄関子機１との間で通話状態となる。同時に、無線ユニット３が通話開始データを受信してユニット側ＣＰＵ１２の制御で通話状態となる。こうして、増設親機４は無線ユニット３経由で玄関子機１と通話が可能となる。
【００１６】
このように、有線接続された玄関子機１と居室親機２から成るインターホン装置の伝送線５に無線ユニット３を介在させるだけで増設親機４を設置できるので、既設の有線接続された玄関子機と居室親機とから成るインターホン装置の機器を変更することなく親機を増設することができる。従って、増設する際の廃棄物も少なくなるし、増設親機を安価に設置できる。
更に、無線ユニットの入力インピーダンスが接続する伝送線のインピーダンスより十分高いので、玄関子機や居室親機に無線ユニットの接続により親機を増設しても、既存の機器に負荷が掛かり誤動作するようなことがない。
また、増設用インターホン装置を組み付けることで、無線の増設親機を有するシステムになるので、容易に居室間を移動設置でき利便性が向上する。それでいて有線接続される玄関子機や居室親機は従来の有線式のインターホン装置をそのまま使用することができ、安価に無線の増設親機を加えたシステム構成を図ることができる。
【００１７】
図３，図４は本発明に係るインターホン装置の第２の実施形態を示し、図３は外観図、図４は無線ユニットと増設親機を回路ブロックである。この第２の実施形態は、無線ユニット３ａと増設親機４ａの構成が上記第１実施形態とは異なっており、増設親機４ａにもモニタ８を設けている。尚、上記図１及び図２と同一の構成要素には同一の符号を付与して説明を省略する。
無線ユニット３ａは、図２の無線ユニット３の受話回路１３に替えて、通話信号に加えて映像信号も受信する受信回路１３ａを備え、ユニット側送信アンテナ１８は通話信号と共に映像信号も送信される。また、増設親機４ａは、モニタ８に無線ユニット３ａから受信した映像信号を出画させる映像信号増幅回路３４を有し、親機側送受信アンテナ２９で通話信号と共に受信した映像信号は、親機側受信回路２３ａで復調され、映像信号増幅回路３４を介してモニタ８に出画される。
このように、無線ユニットの構成を上記図２の構成から大きく変更することなく、映像信号を増設親機に送信することが可能であり、玄関子機に設けたカメラの撮像画像を増設親機にて出画させることも容易に実施できる。
【００１８】
尚、上記実施の形態では、無線ユニットの入力インピーダンスを、接続する伝送線のインピーダンスの１０倍として十分高く設定しているが、僅かでも高く設定してあれば、無線ユニットを介在させても既設のインターホン装置を正常に動作させることは可能である。但し、５倍以上のインピーダンスとするのが好ましい。
また、増設親機は１台でなくとも良く、１台の無線ユニットに対して同一特性の複数の増設親機を設けることも可能であるし、当初より居室親機を複数有するインターホン装置であっても、玄関子機と伝送線で接続された構成であれば、玄その伝送線に無線ユニットを設置することで、上記増設用インターホン装置を設置することは可能である。
また、上記実施形態は玄関子機にカメラを設けた所謂テレビドアホンを例に説明したが、上記増設用インターホン装置はカメラのないインターホン装置においても適用でき、容易に親機の増設ができる。
【００１９】
【発明の効果】
以上詳述したように、本発明によれば、有線接続された玄関子機と居室親機から成るインターホン装置の伝送線に無線ユニットを介在させて増設親機を設置するので、居室親機等の既設の機器を交換することなく、簡易に親機を増設できる。従って、増設する際の廃棄物も少なくなるし、増設親機を安価に設置できる。
【図面の簡単な説明】
【図１】本発明に係るインターホン装置の第１の実施形態を示す構成図である。
【図２】図１の増設用インターホン装置を回路ブロック図で示した構成図である。
【図３】本発明に係るインターホン装置の第２の実施形態を示す構成図である。
【図４】図３の増設用インターホン装置を回路ブロック図で示した構成図である。
【図５】増設前のインターホン装置の構成図である。
【符号の説明】
１・・玄関子機、２・・居室親機、３，３ａ・・無線ユニット、４，４ａ・・増設親機、５・・伝送線、１１・・呼出検出回路、１３・・受話回路、１３ａ・・受信回路、１５・・送話回路。
【図１】
2004147215.tif 000003
【図２】
2004147215.tif 000004
【図３】
2004147215.tif 000005
【図４】
2004147215.tif 000006
【図５】
2004147215.tif 000007
【手続補正書】
【提出日】平成15年1月23日(2003.1.23)
【手続補正１】
【補正対象書類名】明細書
【補正対象項目名】０００２
【補正方法】変更
【補正の内容】
【０００２】
【従来の技術】
玄関等に設置される玄関子機と住居内に設置される居室親機とが有線で接続された図５の構成図に示すようなインターホン装置が普及している。図５において、３１は玄関子機、３２は居室親機、３３は両者を接続して信号等を伝送する伝送線であり、このようなインターホン装置が設置されている住居において、居住者が代わったり生活環境の変化等により、居室親機３２を設置した部屋以外でも親機を必要とする場合、従来は設置されている居室親機３２を、有線式又は無線式の増設親機を接続するためのインターフェイスを備えた専用の居室親機に付け替えて、増設した親機と付け替えた居室親機とを有線或いは無線で接続し、希望する居室にても玄関子機３１との呼び出し及び応答を可能としていた（例えば、特許文献１参照）。


【手続補正２】
【補正対象書類名】明細書
【補正対象項目名】００１１
【補正方法】変更
【補正の内容】
【００１１】
【発明の実施の形態】
以下、本発明を具体化した実施の形態を、図面に基づいて詳細に説明する。図１は本発明に係るインターホン装置の第１の実施形態を示す外観図で有り、１は玄関子機、２は居室親機、３は無線ユニット、４は増設親機である。玄関子機１と居室親機２とは無線ユニット３を介して伝送線５で接続されている。そして、無線ユニット３は増設親機４と無線通信する為の装置であり、無線ユニット３と増設親機４とで増設用インターホン装置を構成している。
尚、６は来訪者を撮像するカメラ、７はカメラ６の撮像した映像を出画するモニタ７であり、居室親機２は玄関子機１の呼出を受けてモニタ７に来訪者の画像を映し出して、呼出し及びその応答通話ができる上記図５に示すような従来形態のインターホン装置である。


【手続補正３】
【補正対象書類名】図面
【補正対象項目名】図４
【補正方法】変更
【補正の内容】
【図４】
2004147215.tif 000008